(57)【要約】      （修正有）【課題】容器本体と蓋部とを容易に留めることができる食品容器を提供する。【解決手段】食品容器１は本体部２と、本体部２に折り曲げ部４で一体的に連結してある蓋部３と、本体部２の鍔部２ｂから上方に突出した留め部５と、留め部５の片側に横方向に開口した切り欠き部５ａと、蓋部３の鍔部３ａに形成してあり、蓋部３を閉じた際、留め部５を挿し通し、切り欠き部５ａに掛かり合う孔部６とを備えた。【選択図】図１
0003138867.tif 000002
【実用新案登録請求の範囲】
【請求項１】
本体部と、該本体部に折り曲げ部で一体的に連結してある蓋部と、前記本体部の鍔部から上方に突出した留め部と、該留め部の片側に横方向に開口した切り欠き部と、前記蓋部の鍔部に形成してあり、前記蓋部を閉じた際、前記留め部を挿し通し、前記切り欠き部に掛かり合う孔部と、を備えた食品容器。
【請求項２】
前記留め部を、上端隅部を円弧状とした略矩形状に形成してある請求項１に記載の食品容器。
【請求項３】
前記留め部を、折り曲げ部と対向する鍔部の中間付近に形成してある請求項１又は２に記載の食品容器。
【請求項４】
前記留め部と前記孔部とを、略同じ長さに形成し、前記両鍔部を重ね合わせたとき、ずれた位置に形成してある請求項１〜３のいずれかに記載の食品容器。
【考案の詳細な説明】
【技術分野】
【０００１】
本考案は、一体的な蓋を有し、主に食料品を収納する食品容器に関する。
【背景技術】
【０００２】
従来、容器本体と蓋部とを留めるためには、ステープラーやセロハンテープなどで鍔部を留め合わせることなどが行なわれていた。
しかし、このような留め方は、多数の容器を連続して留めることには不向きであった。また、一度蓋部を開き、再度留めるためには、新しいステープラーやセロハンテープなどを用いなければならず、手間のかかるものであった。
そこで、下記特許文献１に記載の発明のように、蓋部に凹部を設け、容器本体に凸片を設け、これらを係止させ、容器本体と蓋部とを容易に留められるようにしたものが開発されている。
【０００３】
【特許文献１】特開平１０−２５０７５３号公報
【考案の開示】
【考案が解決しようとする課題】
【０００４】
上記特許文献１に記載の容器は、容器本体と蓋部とを重ね合せ、凸片を上方に押し上げて凹部に係止させるものであるため、容器を持ちながら係止させることは難しく、台などに置いてから係止する作業をしなければならなかった。また、凸片を押し上げたり、押し下げたりしているうちに、凸片が折り目で折れてしまうことがあった。
【０００５】
そこで、本考案の目的は、容器本体と蓋部とを容易に留めることができる食品容器を提供することにある。
【課題を解決するための手段】
【０００６】
本考案の食品容器は、本体部と、該本体部に折り曲げ部で一体的に連結してある蓋部と、前記本体部の鍔部から上方に突出した留め部と、該留め部の片側に横方向に開口した切り欠き部と、前記蓋部の鍔部に形成してあり、前記蓋部を閉じた際、前記留め部を挿し通し、前記切り欠き部に掛かり合う孔部と、を備えたことを特徴とする。
【０００７】
このような構成とすることにより、容器本体と蓋部とをせん断方向に若干ずらせて孔部を留め部に挿し通した後、孔部を切り欠き部に掛かり合わせることにより、容器本体と蓋部と留めることができ、容器を持ちながら容易に蓋部を閉じることができる。また、留め部は、押し上げたり、押し下げたりすることがないため、折れてしまうことがない。
【０００８】
前記留め部は、上端隅部を円弧状とした略矩形状に形成することが好ましい。
【０００９】
このような構成とすることにより、留め部を孔部に挿し通しやすくなる。
【００１０】
上記食品容器は、より具体的には、前記留め部を、折り曲げ部と対向する上縁部の中間付近に形成することができ、また、前記留め部と前記孔部とを、略同じ長さに形成し、前記両鍔部を重ね合わせたとき、ずれた位置に形成することができる。
【考案を実施するための最良の形態】
【００１１】
以下、本考案の一実施形態を図面を用いて説明する。
図１は本考案の一実施形態の食品容器の蓋部が開いた状態の斜視図、図２は図１の食品容器の蓋部が閉じた状態の斜視図、図３は図１の食品容器の留め部付近の拡大斜視図である。
【００１２】
本考案の一実施形態の食品容器１は、例えば、合成樹脂材などを圧空真空成型等の熱成形などで形成することができ、図１に示すように、略矩形体状に形成してあり、容器本体２と蓋部３とは折り曲げ部４で折り曲げ可能に連結してある。なお、容器本体２と蓋部３とは、外力を付加しない状態では開いた状態にある。
【００１３】
容器本体２は、略直方体状に凹ませ、食料品などを収納する収納部２ａを有し、この上縁部に外向きに形成した鍔部２ｂが周方向に形成してある。折り曲げ部４と対向する鍔部２ｂの中間付近には、略矩形状に上方に突出した留め部５が形成してあり、その片側には、横方向に開口した切り欠き部５ａが形成してある。また、留め部５の上端隅部は、円弧状に形成してあり、後述する孔部６を挿し通しやすくしてある。
【００１４】
蓋部３は、略直方体状に上方に膨らませて形成してあり、その下縁部には、外向きに形成した鍔部３ａが周方向に形成してあり、容器本体２と蓋部３とを閉じた際、鍔部２ｂと鍔部３ａとが重ね合わさるように形成してある。
折り曲げ部４と対向する鍔部３ａの中間付近には、略矩形状の孔部６が形成してあり、留め部５と孔部６とは、略同じ長さに形成し、鍔部２ｂと鍔部３ａとを重ね合わせた際、容器長手方向にずれた位置に形成してある。また、孔部６は、図２に示したように、容器本体２と蓋部３とを閉じた際、留め部５を挿し通し、切り欠き部５ａに掛かり合うように形成してある。
【００１５】
以下、容器本体２と蓋部３との留め方を説明する。
図１に示すように、容器本体２と蓋部３とは、開いた状態にあり、例えば、一方の手で容器本体２を持ち、他方の手で蓋部３を持ち、容器本体２と蓋部３とを閉じる。この際、容器本体２と蓋部３とを、せん断する方向にずらせ、つまり、図１では、蓋部３を切り欠き部５ａの開口する側に若干捩り、閉じるようにする。そして、孔部６を、留め部５に挿し通し、鍔部２ｂと鍔部３ａとを重ね合せ、蓋部３を持っていた手を離すと、捩れさせていた力がなくなり、蓋部３の鍔部３ｂは、切り欠き部５ａ内に入り込み、図３に示すように、留め部５と孔部６とが掛かり合い、容器本体２と蓋部３とは閉じた状態を維持できる。
容器本体２と蓋部３とを開く際は、上記とは逆の手順で行い、蓋部３を切り欠き部５ａの開口する側に若干捩り、鍔部３ａを切り欠き部５ａから外し、留め部５を孔部６から抜くようにして、蓋部３を開くことができる。
【００１６】
このように、容器１は、手に持ちながら容易に開閉することができるものである。また、留め具５を、押し上げたり、押し下げたりすることもないので、折れることはなく、何度でも開閉可能なものである。
【００１７】
上記実施形態の構成態様は、本考案を限定するものとして挙げたものではなく、技術目的を共通にするかぎり変更は可能であり、本考案はそのような変更を含むものである。
【図面の簡単な説明】
【００１８】
【図１】本考案の一実施形態の食品容器の蓋部が開いた状態の斜視図である。
【図２】図１の食品容器の蓋部が閉じた状態の斜視図である。
【図３】図１の食品容器の留め部付近の拡大斜視図である。
【符号の説明】
【００１９】
１食品容器  ２容器本体  ２ａ収納部  ２ｂ鍔部  ３蓋部  ３ａ鍔部  ４折り曲げ部
５留め部  ５ａ切り欠き部  ６孔部
【図１】
0003138867.tif 000003
【図２】
0003138867.tif 000004
【図３】
0003138867.tif 000005